(57)【要約】【課題】  長い形状の内部照明型看板において看板体の一部位置にて全体の照明器具メンテナンス作業が可能な内部照明移動式看板を提供する。【解決手段】  看板体内部の長辺方向に沿って設けたスライドレールをスライドする駒に取付けられた照明器具が看板体内部をスライドする内部照明移動式看板である。【選択図】図２
2008070848.tif 000002
【特許請求の範囲】
【請求項１】
看板体内部の長辺方向に設置されたスライドレールと照明器具が取付けられた１個以上のスライド駒からなり、照明器具がスライド駒とともにスライドレールに沿って看板体内部を移動する内部照明移動式看板。
【請求項２】
請求項１の内部照明型看板において、スライドレール線上ないしはスライドレール延長線上付近の看板体内部の一方に設置された滑車と、照明器具をスライドレールに沿って移動させるに足る長さの索条からなり、索条の１端がスライド駒ないしは照明器具に接続され、索条の他端が滑車を介して策条操作部分に至る内部照明移動式看板。
【発明の詳細な説明】
【技術分野】
【０００１】  本発明は長い形状の内部照明型看板の照明器具メンテナンスに際して表示面板を全面的に取り外す必要が無く、看板体下部または一箇所で照明器具メンテナンスの作業を行える内部照明移動式看板に関するものである。
【背景技術】
【０００２】  従来は長い形状の内部照明型看板の照明器具をメンテナンスする際には各照明器具の取り外しに必要な高さ、幅の足場を組み、作業を行っていた。【０００３】  従来は長い形状の内部照明型看板の照明器具をメンテナンスする際に各照明器具付近の表示面版を取り外す必要があった。【０００４】  従来は長い形状の内部照明型看板の照明器具をメンテナンスする際に作業に必要な高さに達する高所作業車を用いて作業を行っていた。【０００５】  従来は縦長の内部照明型看板の照明器具をメンテナンスする際に看板体を支柱から外して地上に降ろし、作業箇所部分の面版を取り外して作業を行った。【０００６】  特許公開２００１−６７０２８看板装置において、看板内を回転するチェーンに固定された照明器具を周回させてメンテナンスを可能にした装置がある。【０００７】  登録実用新案３０６８３６６照明装置を備えた看板の構造において、看板内に照明器具が固定された滑車を介して吊り下げられた内フレームを有し、メンテナンス時には看板体底部蓋を開けて内フレームを吊おろす仕組みがある。
【発明の開示】
【発明が解決しようとする課題】
【０００８】  従来は長い形状の内部照明型看板の照明器具をメンテナンスする際は各照明器具の取り外しに必要な高さと幅の足場が必要でコストが掛った。【０００９】  従来は長い形状の内部照明型看板の照明器具をメンテナンスする際は足場組み作業のスペースと足場の占有部分のスペースが必要になった。【００１０】  従来は長い形状の内部照明型看板の照明器具をメンテナンスする際は作業期間中に足場で看板体を覆ってしまうために看板の視認訴求機能が果たせなかった。【００１１】  従来は長い形状の内部照明型看板の照明器具をメンテナンスする際は高所での作業になるために危険が伴った。
【課題を解決するための手段】
【００１２】  看板内部の照明器具を設置する１個以上のスライド駒と、看板体の長辺方向に設置されたスライドレールからなり、照明器具が取付けられたスライド駒とともにスライドレールに沿って看板内を移動する内部照明型看板。【００１３】  前述内部照明型看板において、スライドレール線上ないしはスライドレール延長線上の看板体内部の一方に滑車を備え、照明器具をスライドレールに沿って移動させるに足る長さの索条からなり、索条の１端がスライド駒ないしは照明器具に接続され、索条の他短が滑車を介して看板体他方に至る内部照明型看板。
【発明の効果】
【００１４】  長い形状の内部照明型看板のメンテナンス作業が看板体の一端で行えるので全面的な足場組の必要が無くコストが低減できる。【００１５】  長い形状の看板内部の照明器具をメンテナンスする際に全面的な足場組み作業のスペースならびに足場の占有部分のスペースが必要無い。【００１６】  長い形状の看板内部の照明器具をメンテナンスする際に全面的な足場で看板体を覆わないので看板の視認訴求機能を大きく疎外しない。【００１７】  縦長看板内部の照明器具をメンテナンスする際に高所作業を伴わないので危険性が少ない。
【発明を実施するための最良の形態】
【００１８】  以下本発明の実施の形態について縦に長い形状の内部照明型看板を例に説明する。
図１に示すように看板内の照明器具４−１と照明器具４−２が固定されたブラケット５−１がスライド駒７に取り付けられ、照明器具４−２と照明器具４−３が固定されたブラケット５−２がスライド駒７に取り付けられ、スライド７駒が看板内部の縦方向に設置されたスライドレール６をスライドする。【００１９】  照明器具の取り付け時は図２に示すように看板下部のパネル３を取り外し照明器具４−１をブラケット５−０とブラケット５−１にて固定し、照明器具４−１をスライドレール６に沿って上方へスライドさせ、照明器具４−１の下方に照明器具４−２をブラケット５−１とブラケット５−２にて固定し、照明器具４−２をスライドレール６に沿って上方へスライドさせ、照明器具４−２の下方に照明器具４−３をブラケット５−２とブラケット５−３にて固定し、照明器具４−３をスライドレールに沿って上方へスライドさせる。この手順を繰り返し順次下方の照明器具を取り付けてゆく。【００２０】  照明器具メンテナンス時の取り外しは、看板下部のパネル３を外し、最下部の照明器具４−５をブラケット５−５とブラケット５−４から取り外し、上部の照明器具をスライドレールに沿ってスライドさせて下ろし、照明器具４−４をブラケット５−４とブラケット５−３から取り外し、順次上方の照明器具をスライドレールに沿ってスライドさせて下ろして各ブラケットから取り外す。【００２１】  照明器具メンテナンス後は照明器具取り付け時の要領で各照明器具を各ブラケットに取り付けて、スライドレールに沿って上方へスライドさせて、順次下方の照明器具を取り付ける。【００２２】  照明器具取り付け時に上方へ照明器具のスライドを補助し、かつ照明器具取り外し時に照明器具が落下しないよう保持する為に図２に示すように請求項２の仕組みでブラケット５−０付近を看板内上部から滑車８を介して支持紐９により吊り下げて、看板体下部でスライド補助操作できるようにする。支持紐９はワイヤーやチェーンに替えても同様にスライド補助の操作をする事ができる。【００２３】  本発明は長い形状の内部照明型看板の一箇所から内部の照明器具メンテナンスを可能にしたもので、縦型看板のみならず横長形状の内部照明型看板においても同様の効果を呈する。【００２４】  請求項２の滑車を横長形状の看板体の両端部に取り付け、内部照明器具のスライド補助操作を看板体の中間部付近で操作し、照明器具を左右両方向にスライドさせて設置することも出来る。【００２５】本発明のスライドレール、スライド駒、照明器具、滑車、ブラケットを図３に示すように複数セット看板体内部に設置することも出来る。
【図面の簡単な説明】
【００２６】
【図１】レール６とスライド７駒とブラケット５と照明器具４取り付けの関係を示す透視図である。
【図２】看板体の下部でメンテナンス作業を示す図である。
【図３】照明器具と当該装置が取り付けられた縦型看板の断面透視図である。
【符号の説明】
【００２７】  １  看板本体
２  上部看板面版パネル
３  下部看板面版パネル
４  照明器具
５  ブラケット
６  レール
７  スライド駒
８  滑車
９  支持紐
【図１】
2008070848.tif 000003
【図２】
2008070848.tif 000004
【図３】
2008070848.tif 000005